(57)【要約】【課題】遊技球発射装置の部品点数を低減させる。【解決手段】本発明は、所定の遊技領域が設けられた遊技盤と、遊技盤を保持する枠部材とを備えて構成された弾球遊技機の遊技球発射装置１００であって、ハンマ１１１の揺動を規制する第１ストッパ部材１３１と第２ストッパ部材１３６とが、互いに同じ形状であって、平面部１３２，１３７および凸面部１３３，１３８を有した弾性を有するブロック状に形成されており、平面部１３２が打球位置に位置するハンマ１１１と当接するように第１ストッパ部材１３１が第１保持部１４１に固定保持されるとともに、凸面部１３８が待機位置に位置するハンマ１１１と当接するように第２ストッパ部材１３６が第２保持部１４２に固定保持される。【選択図】図５
2007089685.tif 000002
【特許請求の範囲】
【請求項１】
所定の遊技領域が設けられた遊技盤と、前記遊技盤を保持する枠部材とを備えて構成された弾球遊技機において、遊技球を前記遊技領域に向けて発射するように構成された弾球遊技機の遊技球発射装置であって、
前記枠部材に取り付けられるベース部材と、
前記ベース部材に対し遊技球を打球可能な打球位置と前記打球位置から離れた待機位置とに揺動可能に取り付けられ、前記待機位置から前記打球位置への揺動により遊技球を前記遊技領域に向けて打球発射するように構成されたハンマと、
前記ハンマの前記打球位置を超える前方への揺動を規制する第１ストッパ部材と、
前記ハンマの前記待機位置を超える後方への揺動を規制する第２ストッパ部材と、
前記ベース部材に設けられて前記第１ストッパ部材を固定保持する第１保持部と、
前記ベース部材に設けられて前記第２ストッパ部材を固定保持する第２保持部とを備え、
前記第１ストッパ部材と前記第２ストッパ部材とが、互いに同じ形状であって、平面部および凸面部を有した弾性を有するブロック状に形成されており、
前記平面部が前記打球位置に位置する前記ハンマと当接するように前記第１ストッパ部材が前記第１保持部に固定保持されるとともに、前記凸面部が前記待機位置に位置する前記ハンマと当接するように前記第２ストッパ部材が前記第２保持部に固定保持されることを特徴とする弾球遊技機の遊技球発射装置。
【請求項２】
前記ベース部材に配設されて前記ハンマを揺動させるハンマ駆動装置を備え、
前記ハンマ駆動装置がオン作動すると、前記ハンマが前記ハンマ駆動装置の駆動力を受けて前記待機位置から前記打球位置へ揺動し、前記ハンマ駆動装置がオフ作動すると、前記ハンマが重力を利用して前記打球位置から前記待機位置へ揺動するように構成されることを特徴とする請求項１に記載の弾球遊技機の遊技球発射装置。
【発明の詳細な説明】
【技術分野】
【０００１】
本発明は、パチンコ機に代表される弾球遊技機の遊技球発射装置に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けた入賞装置に入賞させる遊技を行うように構成されている。
【０００３】
前枠の下部には一般的に上下２段の球皿が設けられており、このうち上球皿は横開き開閉可能に取り付けられている。上球皿の背後に位置する前枠の下部領域には遊技補助盤と称される補助機構部が設けられ、この遊技補助盤に遊技球発射装置が取り付けられる。前枠の下部には発射ハンドルが設けられており、遊技者が発射操作を行うと当該操作に基づいて上球皿に貯留された遊技球が１球ずつ遊技球発射装置の発射レール上に供給され、発射機構により遊技盤に向けて打ち出されるようになっている。
【０００４】
遊技球発射装置は、遊技球を打ち出す発射機構部と、打ち出された遊技球を遊技盤に案内する発射レール部とに大別される。発射機構部は、遊技球を打ち出すハンマと、このハンマを揺動駆動するロータリソレノイドと、揺動したハンマを受け止めるストッパ部材（クッションゴム）等から構成される（例えば、特許文献１を参照）。一方、発射レール部は、この発射レール部のアッセンブリベースとなり遊技補助盤の前面側にネジ固定されるベースプレートと、このベースプレートに取り付けられて斜めに延びる横断面がＶ字状の発射レール等から構成される。
【特許文献１】特開２００４−２７５２０６号公報
【発明の開示】
【発明が解決しようとする課題】
【０００５】
従来の遊技球発射装置には、遊技球を打球発射する打球位置に揺動したハンマを受け止めるストッパ部材と、打球位置から所定の待機位置に揺動した（戻った）ハンマを受け止めるストッパ部材とを有したものがある。しかしながら、このような遊技球発射装置においては、各ストッパ部材が（ハンマの揺動を規制するという）同様の機能を有するにも拘わらずそれぞれ異なる形状に形成されており、遊技球発射装置の部品点数が増加する一因となっていた。
【０００６】
本発明は、このような問題に鑑みて成されたものであり、遊技球発射装置の部品点数を低減させることを目的とする。
【課題を解決するための手段】
【０００７】
このような目的達成のため、本発明は、所定の遊技領域が設けられた遊技盤と、遊技盤を保持する枠部材（例えば、実施形態における前枠２）とを備えて構成された弾球遊技機（例えば、実施形態におけるパチンコ機ＰＭ）において、遊技球を遊技領域に向けて発射するように構成された弾球遊技機の遊技球発射装置であって、枠部材に取り付けられるベース部材と、ベース部材に対し遊技球を打球可能な打球位置と打球位置から離れた待機位置とに揺動可能に取り付けられ、待機位置から打球位置への揺動により遊技球を遊技領域に向けて打球発射するように構成されたハンマと、ハンマの打球位置を超える前方への揺動を規制する第１ストッパ部材と、ハンマの待機位置を超える後方への揺動を規制する第２ストッパ部材と、ベース部材に設けられて第１ストッパ部材を固定保持する第１保持部と、ベース部材に設けられて第２ストッパ部材を固定保持する第２保持部とを備えて構成される。
【０００８】
そして、このような遊技球発射装置において、第１ストッパ部材と第２ストッパ部材とが、互いに同じ形状であって、平面部および凸面部を有した弾性を有するブロック状に形成されており、平面部が打球位置に位置するハンマと当接するように第１ストッパ部材が第１保持部に固定保持されるとともに、凸面部が待機位置に位置するハンマと当接するように第２ストッパ部材が第２保持部に固定保持される。
【０００９】
また、上述の発明において、ベース部材に配設されてハンマを揺動させるハンマ駆動装置を備え、ハンマ駆動装置がオン作動すると、ハンマがハンマ駆動装置の駆動力を受けて待機位置から打球位置へ揺動し、ハンマ駆動装置がオフ作動すると、ハンマが重力を利用して打球位置から待機位置へ揺動するように構成されることが好ましい。
【発明の効果】
【００１０】
本発明によれば、第１および第２ストッパ部材として同じ形状のストッパ部材を使用することができるため、遊技球発射装置の部品点数を低減させることができる。また、第１ストッパ部材の平面部が打球位置に位置するハンマと当接するように構成されるため、打球位置に揺動したハンマの位置決め精度が向上し、さらに、第２ストッパ部材の凸面部が待機位置に位置するハンマと当接するように構成されるため、第２ストッパ部材と当接する際のハンマの衝撃がよりよく吸収されて、ハンマをより速く待機位置で停止させることができる。
【００１１】
また、ハンマ駆動装置がオン作動すると、ハンマがハンマ駆動装置の駆動力を受けて待機位置から打球位置へ揺動し、ハンマ駆動装置がオフ作動すると、ハンマが重力を利用して打球位置から待機位置へ揺動するように構成されることで、ハンマを打球位置から待機位置へ揺動させるための手段（例えば、バネ等）を設ける必要がなく、遊技球発射装置の部品点数をさらに低減させることができる。
【発明を実施するための最良の形態】
【００１２】
以下、本発明の好ましい実施形態について図面を参照しながら説明する。本発明に係る遊技球発射装置を備えた弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、図３はパチンコ機ＰＭを背面側から見た斜視図である。
【００１３】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１４】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、後方から遊技盤１０を着脱可能に収容する収容枠が設けられており、この収容枠に立設姿勢で係止保持された遊技盤１０がガラス扉５を通して視認されるようになっている。
【００１５】
遊技盤１０は、図２に示すように、所定板厚の積層合板の表面にセルを貼り付けてルーター加工した化粧板１１を基板とし、内外のレール部１２，１３により囲まれて略円形状の遊技領域ＰＡが形成されるようになっている。遊技領域ＰＡには、何れも詳細図示省略するが、多数本の遊技釘とともに風車や各種の入賞装置、遊技の展開状況に応じた図柄を表示させる画像表示装置などの遊技構成部品が取り付けられ、遊技領域ＰＡの下端部にアウト口１８が設けられている。
【００１６】
外レール部１２は、前枠２側において下側が開いた円弧状に形成されており、遊技球発射装置１００から発射された遊技球を遊技領域ＰＡへ導くようになっている。内レール部１３は、右側が開いた円弧状に形成されており、遊技盤１０（化粧板１１）の前面において外レール部１２の左側部分に対し所定間隔を空けるように配設されることで、外レール部１２の左側部分との間に発射通路１５が形成されるようになっている。なお、この発射通路１５は、遊技球発射装置１００と遊技領域ＰＡとに通じており、遊技球が通過可能に構成されている。
【００１７】
前枠２の前面における上記ガラス扉５の下側には、遊技球を貯留する上球皿６がヒンジ機構（図示せず）により横開き開閉および着脱可能に取り付けられており、この上球皿６の下側には下球皿７および発射ハンドル８が取り付けられている。また、図２に示すように、上球皿６に前面側が覆われた前枠２の下部領域には遊技補助盤２０と称される補助機構部が形成されており、この遊技補助盤２０には、遊技盤１０の遊技領域ＰＡ内に遊技球を発射する遊技球発射装置１００等が設けられている。
【００１８】
前枠２の背面上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００１９】
前枠２の背面下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２０】
パチンコ機ＰＭは、ガラス扉５、上球皿６、第１および第２裏セット盤４０，４５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置１００により１球ずつ遊技領域ＰＡに打ち出され、パチンコゲームが展開される。
【００２１】
以上のように概略構成されるパチンコ機ＰＭにあって、前述したように、遊技補助盤２０には、本発明に係る遊技球発射装置１００が設けられている。そこで、遊技球発射装置１００について図４〜図６を追加参照しながら説明する。ここで、図４は遊技補助盤２０の正面拡大図、図５は遊技球発射装置１００の正面図、そして図６は遊技球発射装置１００に構成される第１および第２ストッパ部材の斜視図である。
【００２２】
遊技球発射装置１００は、その構成を大別すると、図４および図５に示すように、遊技球を打ち出す発射機構部１１０と、打ち出された遊技球を外レール部１２（発射通路１５）に案内する発射レール部１２０とに分類される。発射機構部１１０は、遊技球を打ち出すハンマ１１１と、ハンマ１１１を揺動駆動するロータリソレノイド１１２と、揺動するハンマ１１１を受け止めるストッパユニット１３０と、操作ハンドル８からの操作信号に基づいてロータリソレノイド１１２の作動を制御する制御基板（図示せず）等から構成される。
【００２３】
一方、発射レール部１２０は、遊技補助盤２０の前面側にネジ固定により取り付けられるベースプレート１２１と、このベースプレート１２１に取り付けられて斜めに延びる横断面がＶ字状の発射レール１２２と、発射レール１２２のレール面と対向して設けられ遊技球を発射レール１２２の傾斜下端に位置する打撃位置に留置する発射球ホルダ１２３等から構成される。ベースプレート１２１は、例えば薄板状の鋼板を切断および孔あけ加工し所要の表面処理を施して形成される。
【００２４】
そして、ベースプレート１２１には、発射レール１２２や発射球ホルダ１２３、発射機構部１１０のロータリソレノイド１１２やストッパユニット１３０等が取り付けられる。なお、発射レール１２２は、右下端における遊技球の打撃位置から発射通路１５に向けて（すなわち外レール部１２の下端近傍のレール面よりも上方に向けて）左斜め上方へ延びるように取り付けられる。
【００２５】
ロータリソレノイド１１２は、ネジ等の固定手段を用いてベースプレート１２１の背面側に取り付けられ、本体部分がベースプレート１２１の背面側に突出している。その一方で、ロータリソレノイド１１２の可動鉄芯１１３は、ベースプレート１２１に形成された穴部（図示せず）を通過してベースプレート１２１の前面側に達するように構成されており、この可動鉄芯１１３にハンマ１１１が連結されるようになっている。このようにして、ハンマ１１１はベースプレート１２１の前面側に取り付けられ、ロータリソレノイド１１２の作動により可動鉄芯１１３を揺動軸として、図５に示すような発射レール１２２に送られた遊技球を打球可能な打球位置と、図４に示すような打球位置から右下方に離れた待機位置とに左右方向へ揺動可能に構成される。すなわち、ハンマ１１１は、待機位置から打球位置への揺動により遊技球を遊技領域ＰＡに向けて打球発射するようになっている。
【００２６】
具体的には、ロータリソレノイド１１２がオン作動すると、ハンマ１１１がロータリソレノイド１１２の駆動力を受けて待機位置から打球位置へ揺動し、ロータリソレノイド１１２がオフ作動すると、ハンマ１１１が重力を利用して打球位置から待機位置へ揺動するように構成されている。これにより、ハンマ１１１を打球位置から待機位置へ揺動させるための手段（例えば、バネ等）を設ける必要がなく、遊技球発射装置１００の部品点数を低減させることができる。
【００２７】
ストッパユニット１３０は、揺動するハンマ１１１を受け止める第１および第２ストッパ部材１３１，１３６と、これらを固定保持するストッパ本体１４０とを有して構成され、ベースプレート１２１の前面側に取り付けられる。第１ストッパ部材１３１は、ＮＢＲ（アクリロニトリル−ブタジエン−ゴム）等の弾性樹脂材料を用いて、図６に示すような弾性を有するブロック状に形成され、一端に平面部１３２が形成されるとともに、他端に凸面部１３３が形成されている。第２ストッパ部材１３６は、図６に示すように、第１ストッパ部材１３１と同じ形状を有しており、第１ストッパ部材１３１と同様に平面部１３７および凸面部１３８を有したブロック状に形成されている。
【００２８】
ストッパ本体１４０は、図５に示すように、ＡＢＳ樹脂等の樹脂材料を用いて略直方体形に形成され、ネジ等の固定手段を用いてベースプレート１２１の前面側に取り付けられる。ストッパ本体１４０の上部には、第１ストッパ部材１３１を固定保持する第１保持部１４１が左上方を向いて形成されており、第１ストッパ部材１３１を第１保持部１４１に（接着剤等を併用して）嵌合させることで、平面部１３２が左上方に外部露出した状態で第１ストッパ部材１３１が第１保持部１４１に固定保持されるようになっている。そして、第１保持部１４１に固定保持された第１ストッパ部材１３１は、図５に示すように、打球位置に揺動したハンマ１１１の上部右側に第１ストッパ部材１３１の平面部１３２が当接することで、ハンマ１１１の打球位置を超える左方への揺動を規制するようになっている。
【００２９】
ストッパ本体１４０の中央部近傍には、第２ストッパ部材１３６を固定保持する第２保持部１４２が左下方を向いて形成されており、第２ストッパ部材１３６を第２保持部１４２に（接着剤等を併用して）嵌合させることで、凸面部１３８が左下方に外部露出した状態で第２ストッパ部材１３６が第２保持部１４２に固定保持されるようになっている。そして、第２保持部１４２に固定保持された第２ストッパ部材１３６は、図４に示すように、待機位置に揺動したハンマ１１１の中央部右側に第２ストッパ部材１３６の凸面部１３８が当接することで、ハンマ１１１の待機位置を超える右方への揺動を規制するようになっている。
【００３０】
なお、本実施形態では、ハンマ１１１が左右方向へ揺動可能に構成されるため、本実施形態における左方が特許請求の範囲における前方に相当し、本実施形態における右方が特許請求の範囲における後方に相当する。ここで、本発明に係る遊技球発射装置（ハンマ）の向きが本実施形態のような向きに限定されないのは勿論である。例えば、遊技球発射装置（ハンマ）が斜め方向に取り付けられていれば、左前方が例えば特許請求の範囲における前方に相当し、右後方が特許請求の範囲における後方に相当する。
【００３１】
ところで、遊技球発射装置１００の左側に位置する遊技補助盤２０の前面中央部には、図４に示すように、補助盤カバー３１が取り付けられている。そして、補助盤カバー３１の背後では、発射レール１２２の上端部と外レール部１２の下端部との間に上方に開くファール球回収口３２が形成されるとともに、その下側に繋がってファール球回収口３２に落入したファール球を流下させるファール球回収通路３３が下方に延びて形成されている。
【００３２】
また、遊技補助盤２０の前面左側には、上球皿６から溢れ出た遊技球を流下させる溢れ球通路３５が形成されており、下流部が補助盤カバー３１の背面側でファール球回収通路３３と繋がるようになっている。このように、ファール球回収通路３３と溢れ球通路３５とは遊技補助盤２０の前面中央下部で合流し、図１および図４に示すように、上面及び前面が開放された箱状の下球皿連絡バケット３６を介して下球皿７に繋がっている。
【００３３】
このように構成されるパチンコ機ＰＭの遊技球発射装置１００において、前述したように、第１ストッパ部材１３１と第２ストッパ部材１３６とが互いに同じ形状であり、それぞれ、平面部１３２，１３７および凸面部１３３，１３８を有した弾性を有するブロック状に形成される。そして、平面部１３２が打球位置に位置するハンマ１１１（図５を参照）と当接可能に第１ストッパ部材１３１が第１保持部１４１に固定保持されるとともに、凸面部１３８が待機位置に位置するハンマ１１１（図４を参照）と当接可能に第２ストッパ部材１３６が第２保持部１４２に固定保持される。これにより、第１および第２ストッパ部材１３１，１３６として同じ形状のストッパ部材を使用することができるため、遊技球発射装置１００の部品点数を低減させることができる。
【００３４】
発射ハンドル８が回動操作されると、操作ハンドル８からの操作信号に基づいて制御基板（図示せず）がロータリソレノイド１１２にオン作動信号を出力する。制御基板からオン作動信号が出力されると、ロータリソレノイド１１２がオン作動して可動鉄芯１１３が回転し、それに伴って可動鉄芯１１３と連結されたハンマ１１１が待機位置から打球位置に揺動して、発射レール１２２の所定打撃位置に留置された遊技球を遊技領域ＰＡに向けて打球発射する。
【００３５】
このとき、図５に示すように、打球位置に揺動したハンマ１１１の上部右側に第１ストッパ部材１３１の平面部１３２が当接し、第１ストッパ部材１３１によりハンマ１１１の打球位置を超える左方への揺動が規制されて、ハンマ１１１がロータリソレノイド１１２の駆動力を受けつつ打球位置で停止する。またこのとき、第１ストッパ部材１３１の平面部１３２が打球位置に位置するハンマ１１１と当接するように構成されているため、打球位置に揺動したハンマ１１１の位置決め精度が向上する。
【００３６】
ハンマ１１１が揺動して打球位置で停止すると、制御基板（図示せず）がロータリソレノイド１１２にオフ作動信号を出力する。制御基板からオフ作動信号が出力されると、ロータリソレノイド１１２がオフ作動し、ハンマ１１１が重力を利用して打球位置から待機位置へ揺動する。
【００３７】
このとき、図４に示すように、待機位置に揺動したハンマ１１１の中央部右側に第２ストッパ部材１３６の凸面部１３８が当接し、第２ストッパ部材１３６によりハンマ１１１の待機位置を超える右方への揺動が規制されて、ハンマ１１１が待機位置で停止する。このとき、平面部１３７よりも変形しやすい（弾性係数の小さい）凸面部１３８が待機位置に位置するハンマ１１１と当接するように構成されるため、第２ストッパ部材１３６と当接する際のハンマ１１１の衝撃がよりよく吸収されて、ハンマ１１１をより速く待機位置で停止させることができる。
【００３８】
このようにして、上球皿６から発射レール１２２に送り出された遊技球がハンマ１１１により打ち出されると、ハンマ１１１に打ち出された遊技球が発射レール１２２上を通過して、発射レール１２２の上端部からファール球回収口３２を飛び越えて外レール部１２の下端近傍のレール面上に達し、そのまま外レール部１２に沿って発射通路１５を通過し遊技領域ＰＡに導かれる。ハンマ１１１に打ち出された遊技球のうち、遊技領域ＰＡに到達した遊技球は、遊技領域内に打ち込まれた多数本の遊技釘や風車に弾かれながら遊技領域ＰＡを転動落下し、落下過程で入賞装置に落入して化粧板１１の裏面側に導かれ、あるいは入賞装置に落入することなく落下してアウト口１８から化粧板１１の裏面側に導かれ、図示省略する遊技済み球排出通路を通って球排出口（図示せず）から遊技施設の球回収装置に排出される。
【００３９】
一方、ハンマ１１１に打ち出された遊技球のうち、遊技領域ＰＡに到達できずに外レール１２に沿って戻ってきた遊技球は、発射レール１２２に到達することなくファール球回収口３２に落入して、ファール球回収通路３３を通過したのち下球皿連絡バケット３６を通過し下球皿７に導かれる。
【００４０】
以上に説明した本発明の実施形態において、達成される主要な効果を整理すれば、下記のようになる。
【００４１】
第１に、第１および第２ストッパ部材１３１，１３６として同じ形状のストッパ部材を使用することができるため、遊技球発射装置１００の部品点数を低減させることができる。
【００４２】
第２に、第１ストッパ部材１３１の平面部１３２が打球位置に位置するハンマ１１１と当接するように構成されるため、打球位置に揺動したハンマ１１１の位置決め精度が向上し、さらに、第２ストッパ部材１３６の凸面部１３８が待機位置に位置するハンマ１１１と当接するように構成されるため、第２ストッパ部材１３６と当接する際のハンマ１１１の衝撃がよりよく吸収されて、ハンマ１１１をより速く待機位置で停止させることができる。
【００４３】
第３に、ロータリソレノイド１１２がオン作動すると、ハンマ１１１がロータリソレノイド１１２の駆動力を受けて待機位置から打球位置へ揺動し、ロータリソレノイド１１２がオフ作動すると、ハンマ１１１が重力を利用して打球位置から待機位置へ揺動するように構成されることで、ハンマ１１１を打球位置から待機位置へ揺動させるための手段（例えば、バネ等）を設ける必要がなく、遊技球発射装置１００の部品点数をさらに低減させることができる。
【００４４】
なお、上述の実施形態において、本発明におけるハンマ駆動装置としてロータリソレノイド１１２が用いられているが、これに限られるものではなく、例えば、パルスモータやサーボモータ、ＡＣモータやＤＣモータ等を用いるようにしてもよい。
【００４５】
また、上述の実施形態において、本発明に係る弾球遊技機の一例であるパチンコ機ＰＭを例に説明したが、これに限られるものではなく、例えば、アレンジボール機や雀球遊技機等の弾球遊技機にも本発明を適用することができる。
【００４６】
さらに、上述の実施形態において、第２ストッパ部材１３６が、例えば図示しないスライド機構を用いて、第２ストッパ部材１３６の固定位置をハンマ１１１の揺動する方向（斜め方向）に調整可能に構成されてもよい。このようにすれば、ハンマ１１１が待機位置に位置する場合、ロータリソレノイド１１２におけるローター（図示せず）の相対位置によってロータリソレノイド１１２の初期トルクが僅かに異なるため、第２ストッパ部材１３６の位置を調整してハンマ１１１の待機位置を微調整することにより、ロータリソレノイド１１２におけるローターの相対位置を一定にすることができる。そのため、ロータリソレノイド１１２の初期トルクを一定にすることが可能となり、打球発射時に遊技球に加える荷重が安定して、球飛びを一定にすることができる。
【図面の簡単な説明】
【００４７】
【図１】本発明に係る遊技球発射装置を備えた弾球遊技機の一例であるパチンコ機を正面側から見た斜視図である。
【図２】上記パチンコ機のガラス扉および上球皿を開放して示す斜視図である。
【図３】上記パチンコ機を背面側から見た斜視図である。
【図４】遊技補助盤の正面拡大図である。
【図５】遊技球発射装置の正面図である。
【図６】第１および第２ストッパ部材の斜視図である。
【符号の説明】
【００４８】
ＰＭ  パチンコ機（弾球遊技機）
ＰＡ  遊技領域
１  外枠
２  前枠（枠部材）
１０  遊技盤
１００  遊技球発射装置
１１０  発射機構部
１１１  ハンマ
１１２  ロータリソレノイド（ハンマ駆動装置）
１２０  発射レール部
１２１  ベースプレート（ベース部材）
１３０  ストッパユニット
１３１  第１ストッパ部材
１３２  平面部
１３３  凸面部
１３６  第２ストッパ部材
１３７  平面部
１３８  凸面部
１４０  ストッパ本体
１４１  第１保持部
１４２  第２保持部
【図１】
2007089685.tif 000003
【図２】
2007089685.tif 000004
【図３】
2007089685.tif 000005
【図４】
2007089685.tif 000006
【図５】
2007089685.tif 000007
【図６】
2007089685.tif 000008